【事件の表示】
　平成７年商標登録願第３４１０９号拒絶査定に対する審判事件について、次のとおり審決する。
【結　論】
　本件審判の請求は、成り立たない。
【理　由】
１　本願商標
　本願商標は、別掲に示すとおりの構成よりなり、第２５類「洋服，コート，セーター類，ワイシャツ類，寝巻き類，下着，水泳着，水泳帽，エプロン，えり巻き，靴下，ゲートル，毛皮製ストール，ショール，スカーフ，足袋，足袋カバー，手袋，布製幼児用おしめ，ネクタイ，ネッカチーフ，マフラー，耳覆い，ずきん，すげがさ，ナイトキャップ，ヘルメット，帽子，ガーター，靴下止め，ズボンつり，バンド，ベルト，靴類（「靴合わせくぎ・靴くぎ・靴の引き手・靴びょう・靴保護金具」を除く。），げた，草履類，運動用特殊衣服，運動用特殊靴（「乗馬靴」を除く。）」を指定商品として、平成７年４月５日に登録出願されたものである。
　
２　当審における拒絶の理由
（１）本願商標は、その構成中に「ＳＴＥＦＡＮＯ　ＶＡＬＥＮＴＩＮＯ」の文字を有してなるところ、後述するとおり、イタリア国在住のデザイナー「ＶＡＬＥＮＴＩＮＯ　ＧＡＲＡＶＡＮＩ」（オランダ国在の関連企業「バレンチノ　グローブ　ベスローテン　フェンノートシャップ社」）が「紳士・婦人服」等に使用している著名な商標「ＶＡＬＥＮＴＩＮＯ」の文字を含むものである。また、本願商標中の「ＳＴＥＦＡＮＯ　ＶＡＬＥＮＴＩＮＯ」の文字が、一般に親しまれた特定の熟語を表すものとか、特定の人名を表すものとして知られているとかの事情は認められない。そして、本願商標はその指定商品を「洋服，コート，セーター類，ネクタイ，スカーフ、ベルト，靴類」等とするものである。                  　                  
（２）「ＶＡＬＥＮＴＩＮＯ　ＧＡＲＡＶＡＮＩ」（ヴァレンティノ　ガラヴァーニ）の文字（標章）について職権により証拠調べを行ったところ、下記の事実を発見した。                  　　
（ア）「ライフカタログＶＯＬ．１世界の一流品大図鑑」（昭和５１年６月５日株式会社講談社発行）の「ヴァレンティノ・ガラバーニ」の欄において、「イタリアファッション界の旗手と呼ばれ、女性を最高に美しく見せるデザイナーとして高く評価されています。（略）ヴァレンティノは、１９５２年、ジャン・デシーのアトリエ主任をした後（略）ファッションオスカー賞を獲得し、国際的な名声を得ました。（略）今シーズンのヴァレンティノのデザイン傾向はクラシック。」との内容（第４４頁）、「ヴァレンティノ」の見出しでの「ブラウス、セーター」（第５４頁）、「ネクタイ」（第９１頁）の商品掲及び「一流ブランド物語ヴァレンティノ・ガラバーニ」の欄において「（前略）ヴァレンティノ・ブティックには（後略）」（１８３頁）とそれぞれ掲載されていること。
（イ）「ＥＵＲＯＰＥ一流ブランドの本」（昭和５２年１２月１日株式会社講談社ＭＯＯＫ発行）において、「ヴァレンティノガラバーニ」の所有する店舗の紹介（ローマだけでも四店、世界中だと１００店と超えるという。）と簡単な経歴が「婦人服」の商品と共に掲載（９５頁）されていること。
（ウ）「ライフカタログＶＯＬ．８世界の一流品大図鑑’７８年版（昭和５３年５月１０日株式会社講談社発行）において、「ヴァレンティノ」の見出しでの「ネクタイ」（第３２頁）、「シャツ」の商品の掲載（第１３４頁）及び「ヴァレンティノ・ガラバーニ、（略）イタリアで『王様』の称号を与えられる世界一のプレタ・ポルテ界の第一人者」（第１３４頁）と記載されていること。
（エ）「服飾辞典」（昭和５４年３月５日第１刷文化出版局発行）において、「ヴァレンティーノ（ｖａｌｅｎｔｉｎｏ）」の項にイタリアのデザイナーと記載（第６４頁）され、また、「イタリアヴァレンチィーノガラヴァーニ『Ｖａｌｅｎｔｉｎｏ　Ｇａｒａｂａｎｉ、１９３２〜』」の項に、「イタリア北部の都市（ヴォゲラ）に生まれる。１７才でリセオ（中学）を中退、パリに行く。スチリストになるため、パリのサンジカ（パリ高級衣装店組合の学校）で技術を身につける。１９５１年、ジャン・デッセ（オート・クチュール）のもとで５年間アシスタントとして仕事をする。その後２年間、ギ・ラローシュのアシスタントをし、１９５８年独立、ヴァレンティーノ・クチュールの名でローマに店を開いた。（略）彼の最初の仕事は、フィレンツェのピッティ宮殿でのコレクションである。このコレクションは、〈白だけの服〉という珍しい演出であったが、その美しさはジャーナリストの間で評判となり、『ニューズ・ウィーク』『ライフ』『タイム』『ウィメンズ・ウェア・デイリー』各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。ヴァレンティーノの洋服に対する考えは、まず個性が第一で、彼のコレクションからは、デテールでなくそのエスプリをくみ取ってもらうことに重きをおく。（略）ヴァレンティーノは現在、ローマのオート・クチュール界で最も好調なデザイナーといえる。以前から東洋風なエキゾティシズムが好きで、時によってトルコ風、アラブ風の特色がみられるが、最近はキモノのセクシーさを１９５０年代のハリウッドの雰囲気に表現、あやしく美しいヴァレンティーノの世界をつくり出している。」旨の紹介記事が掲載（第２９頁及び第３０頁）されていること。
（オ）「朝日新聞」（昭和５７年１１月２０日夕刊第３頁）において、世界の服をリードする３人のうちの１人として「バレンチノ」の紹介記事が掲載されていること。
（カ）「ライフカタログＶＯＬ．２２男の一流品大図鑑’８５年版」（昭和５９年１２月１日株式会社講談社発行）において、「ＶＡＬＥＮＴＩＮＯ　ＧＡＲＡＶＡＮＩ」「ヴァレンティノ・ガラヴァーニ」の文字と共に、「スーツ、ブルゾン、シャツ、ネクタイ、ベルト及びバッグ」の商品が掲載（第１３頁、第３７頁、第４９頁、第７５頁及び第８３頁）されていること。
（キ）雑誌「ｎｏｎ-ｎｏ’８９Ｎｏ２３」（平成元年１２月５日株式会社集英社発行）において、「ヴァレンティノ・ガラバーニ」が単に「ヴァレンティノ」と略称され、商品「婦人服」等と共に掲載（１７３頁）されていること。
（ク）雑誌「ｍａｒｉｅ　ｃｌａｉｒｅ」（１９９６年２月１日中央公論社発行）において、今月の大特集／ファッション界最大のスター「ヴァレンティノ」の文字が表紙に大きく表示され、「ヴァレンティノの赤」、「ヴァレンティノを着た女性」、「ヴァレンティノをめぐる美しき女神たち」の文字とともに２４頁にわたって掲載（第６６頁ないし第８９頁）されていること。
（ケ）「英和商品名辞典」（１９９０年株式会社研究社発行）の［Ｖａｌｅｎｔｉｎｏ　Ｇａｒａｖａｎｉ］の項において、「イタリアＲｏｍａのデザイナーＶａｌｅｎｔｉｎｏ　Ｇａｒａｖａｎｉ（１９３２〜）のデザインした婦人・紳士物の衣料品・毛皮・革製バッグ・革小物・ベルト・ネクタイ・アクセサリー・婦人靴・香水・ライター・インテリア用品など。Ｒｏｍａ，Ｆｉｒｅｎｚｅ，Ｍｉｌａｎｏなどにあるその店の名称はＶａｌｅｎｔｉｎｏ（ｖは小文字でかくこともある）。・・・」との記事及びデザイナーとしての紹介記事が掲載（第４４７頁）されていること。
（コ）「世界の一流品大図鑑’９３年版」（平成５年５月２０日株式会社講談社発行）において、「ＶＡＬＥＮＴＩＮＯ」ブランドの香水が掲載（第２７８頁）されていること。
（サ）「岩波ケンブリッジ世界人名辞典」（１９９７年１１月２１日株式会社岩波書店発行）の［ガラヴァーニ］の項において「ヴァレンティノＧａｒａｖａｎｉ，Ｖａｌｅｎｔｉｎｏ通称ヴァレンティノＶａｌｅｎｔｉｎｏ（伊１９３３-）服飾デザイナー・・・・」との紹介記事が掲載（２２３頁）されていること。同じく、［ヴァレンティノＶａｌｅｎｔｉｎｏ］の項において、「ガラヴァーニ、ヴァレンティノ」を見よとの表示（８４頁）があること。
（シ）「別冊チャネラーファッション・ブランド年鑑２００１」（２００１年１月２０日株式会社チャネラー発行）において、インポート「株式会社ヴァレンティノブティックジャパンの『ヴァレンティノ（ＶＡＬＥＴＩＮＯ）、直輸入（後略）』」（第５５０頁）、アクセサリー＆ファッション雑貨「ヴァレンティノ（ＶＡＬＥＮＴＥＩＮＯ）」の『（品目）紳士ベルト、（商品特徴）イタリア、ファッション界の大御所的存在のヴァレンティノ・ガラバーニ（後略）』」（第７３９頁）と掲載されていること。
（ス）雑誌「ＪＪジェイジェイ１月号」（２００１年１月１日光文社発行）において、「ＶＡＬＥＮＴＩＮＯ、小物が評判のヴァレンティノ実は洋服も上品なセンスで注目」の記事及び「Ｖのロゴ」の背景入りの写真が掲載（第９９頁）されていること。
（３）以上の事実よりすると、「ＶＡＬＥＮＴＩＮＯ」「ｖａｌｅｎｔｉｎｏ」（ヴァレンティノ）「ＶＡＬＥＮＴＩＮＯ　ＧＡＲＡＶＡＮＩ」「ｖａｌｅｎｔｉｎｏ　ｇａｒａｖａｎｉ」（ヴァレンティノ・ガラヴァーニ）よりなる商標（以下「引用商標」という。）は、ヴァレンティノ・ガラヴァーニ（ＶＡＬＥＮＴＩＮＯ　ＧＡＲＡＶＡＮＩ）氏がデザインした婦人服、紳士服、アクセサリー、バッグ等のファッション関連の商品におけるデザイナーブランドとして、少なくとも本願商標の出願前において、わが国の取引者、需要者の間に広く知られていた事実が認められる。
（４）ところで、本願商標は、その構成中に「ＶＡＬＥＮＴＩＮＯ」の文字を有するものであるところ、前記（３）において認定したとおり、「ＶＡＬＥＮＴＩＮＯ」の文字は、周知、著名なものであるから、これに接する取引者、需要者は、その構成中の「ＶＡＬＥＮＴＩＮＯ」の文字部分に自ずと注意を惹かれ強く印象づけられるものと認められる。そして、本願商標の指定商品と引用商標の使用に係る商品とは、その用途、品質又は製造・販売過程よりしてともにファッション関連分野に属する商品であって、需要者を共通にする。そうすると、「ＶＡＬＥＮＴＩＮＯ」の文字を含む本願商標をその指定商品について使用した場合、これに接する取引者、需要者は、周知、著名である引用商標「ＶＡＬＥＮＴＩＮＯ」を容易に連想、想起し、その商品が前記デザイナーブランドに係る商品の一種ないしその兄弟ブランド、ファミリーブランドであるかの如く誤認し、その商品があたかも上記デザイナーあるいは同人と何らかの関係にある者の業務に係る商品であるかのごとく、商品の出所について混同を生じさせるおそれが少なからずあるものといわなければならない。したがって、本願商標は商標法第４条第１項第１５号に該当する。
　
３　当審の判断
　請求人は、上記２の当審における拒絶の理由に対して、平成１３年１２月２１日付け提出の意見書において、本願商標は、全体としてある欧米人の氏名を表したものと認識されるものであり、本願商標より生ずる「ステファノヴァレンチノ」の称呼も、格別冗長なものではなく、淀みなく一連に称呼し得るから、本願商標は、後半部のみで「ヴァレンチノ」と略称されることはなく、称呼上も引用商標とは十分に区別し得ることが明らかである旨主張する。
　しかしながら、Ｖ字状の図形の下に表記されている「ＳＴＥＦＡＮＯ　ＶＡＬＥＮＴＩＮＯ」の文字は、「ＳＴＥＦＡＮＯ」と「ＶＡＬＥＮＴＩＮＯ」の各文字が分離して表示されているばかりでなく、「ＳＴＥＦＡＮＯ　ＶＡＬＥＮＴＩＮＯ」という人名がわが国において広く知られている事実も認められないから、取引者、需要者は、デザイナーであるヴァレンティノ・ガラヴァーニ（ＶＡＬＥＮＴＩＮＯ　ＧＡＲＡＶＡＮＩ）氏に係る商品を表示するものとして著名な商標「ＶＡＬＥＮＴＩＮＯ」と同一の文字よりなる「ＶＡＬＥＮＴＩＮＯ」の文字部分に注意を惹かれ強く印象づけられるものと認められる。
　そして、上記２の当審における拒絶の理由に示したとおり、「ＶＡＬＥＮＴＩＮＯ」の文字を含む商標は、わが国においてファッション関連商品に使用された結果、取引者、需要者に上記デザイナーに係る商品を表示するものとして広く認識されているものであり、本願商標は、構成中の「ＶＡＬＥＮＴＩＮＯ」の文字部分から周知、著名である引用商標「ＶＡＬＥＮＴＩＮＯ」を容易に連想、想起し、その商品があたかも上記デザイナーあるいは同人と何らかの関係にある者の業務に係る商品であるかのごとく、商品の出所について混同を生じさせるおそれがあるものというべきであるから、請求人の主張を採用することはできない。
　したがって、本願商標は、商標法第４条第１項第１５号に該当し、登録することができない。
　よって、結論のとおり審決する。